(57)【特許請求の範囲】
【請求項１】
基板に容器の底部を画成するよう底部を囲う折線を形成し、該折線を介して前面部、後面部を設け、上記底部に中央折線を形成し、この中央折線を内方または外方に谷折りすることによって上記底部の上方に上記前面部と後面部が間隔をあけて対向すると共に上方に開口する開口部が形成されるよう上記前面部と後面部の端縁部どうしを折畳可能に連結し、該前面部の内側及び又は後面部の内側に捕虫用粘着剤層を形成した害虫捕獲容器。
【請求項２】
上記捕虫用粘着剤層は、開口部の端縁から離れた位置から下方に設けられている請求項１に記載の害虫捕獲容器。
【請求項３】
上記捕虫用粘着剤層は底部を除いた部位に設けられている請求項１または２に記載の害虫捕獲容器。
【請求項４】
上記捕虫用粘着剤層は剥離紙で覆われ、該剥離紙の一部には捕虫用粘着剤層よりも大きいつまみ代が形成されている請求項１ないし３のいずれかにに記載の害虫捕獲容器。
【請求項５】
上記捕虫用粘着剤層には害虫の誘引剤が含まれている請求項１に記載の害虫捕獲容器。
【請求項６】
上記捕虫用粘着剤層には蛍光剤が含まれている請求項１または５に記載の害虫捕獲容器。
【請求項７】
上記基板には蛍光剤が塗布されまたは含まれている請求項１に記載の害虫捕獲容器。
【請求項８】
上記基板には、水玉模様、ストライプ、蠅の絵その他の害虫を蝟集させやすい図柄が設けられている請求項１に記載の害虫捕獲容器。
【請求項９】
上記後面部は、壁、天井等の構造物に取り付けるための支承部を有する請求項１に記載の害虫捕獲容器。
【請求項１０】
上記請求項１ないし９のいずれかに記載の害虫捕獲容器を有し、該容器内に誘引剤、フェロモン等の害虫誘引物を収納した害虫捕獲装置。
【請求項１１】
上記請求項１ないし９のいずれかに記載の害虫捕獲容器を有し、該容器の近傍に害虫を誘引する発光源を設けた害虫捕獲装置。
【請求項１２】
上記容器内には誘引剤、フェロモン等の害虫誘引物体が収納されている請求項１１に記載の害虫捕獲装置。
【請求項１３】
上記発光源は、発光ダイオ−ドである請求項１１または１２に記載の害虫捕獲装置。
【請求項１４】
上記発光ダイオ−ドは、青色に発光する請求項１３に記載の害虫捕獲装置。
【発明の詳細な説明】
【０００１】
【発明の属する技術分野】
本発明は、蠅等の飛翔害虫を捕獲できるようにした害虫捕獲容器及びそれを用いた害虫捕獲装置に関するものである。
【０００２】
【従来の技術】
蠅その他の害虫を捕獲できるようにした各種の害虫捕獲装置が知られているが、装置が複雑な構成であったり、捕獲した蠅等の処分が面倒だったり、取り扱いにくいために、充分に満足すべきものは少ない。
【０００３】
【発明が解決しようとする課題】
本発明の解決課題は、簡単に捕獲容器を形成して使用でき、蠅等を捕獲後は容易に折りたたんで廃棄処分できるようにした害虫捕獲容器及びそれを用いた害虫捕獲装置を提供することである。
【０００４】
【課題を解決するための手段】
本発明によれば、基板に容器の底部を画成するよう底部を囲う折線を形成し、該折線を介して前面部、後面部を設け、上記底部に中央折線を形成し、この中央折線を内方または外方に谷折りすることによって上記底部の上方に上記前面部と後面部が間隔をあけて対向すると共に上方に開口する開口部が形成されるよう上記前面部と後面部の端縁部どうしを折畳可能に連結し、該前面部の内側及び又は後面部の内側に捕虫用粘着剤層を形成した害虫捕獲容器が提供され、使用時はワンタッチで容器を形成できると共に使用後は簡単に折り畳んで廃棄することができ、上記課題を解決することができる。
【０００５】
また、本発明によれば上記害虫捕獲容器を使用し、内部に害虫誘引物体を収納したり、近傍に害虫を誘引する発光ダイオ−ド等の発光源を設けて害虫を捕獲するようにした害虫捕獲装置が提供され、効果的に害虫を捕獲することができ、上記課題を解決することができる。
【０００６】
【発明の実施の形態】
本発明の害虫捕獲容器（１）は、基板を折り畳むことにより構成され、該基板は、合成樹脂シ−ト材料や金属箔材料等で形成することもできるが、好ましくは紙材料で形成されている。該容器（１）の容器本体（２）は、底部（３）を画成する折線を有し、この折線に囲まれて底部（３）が形成されており、該折線を介して前面部（４）と後面部（５）が設けられ、底部に中央折線を有し、この中央折線を内方または外方に谷折りすることによって上記底部（３）の上方に間隔をあけて前面部（４）と後面部（５）が対向すると共に上方に開口する開口部（６）が形成されるよう該前面部（４）と後面部（５）が折畳可能に構成されている。
【０００７】
上記の如き折畳構造は種々に形成することができる。図１に示す容器本体（２）は、図２，図３に示すように構成される。なお、以下詳述する図３〜図９では、説明の都合上、後記する捕虫用粘着剤層等を省略して記載してある。図２において、基板（７）のほぼ中央には、略だ円状の底部（３）を画成するよう弧状の折線（８),（９）が形成され、該折線（８),（９）の両端の交点(10),(11) を結んで中央折線(12)が形成され、該中央折線(12)により底部（３）を前面側底部(13)と後面側底部(14)に区画している。また、図においては、前面側底部(13)に対し後面側底部(14)を少し大きく形成してあるが、同じ大きさに形成することもできる。
【０００８】
上記折線（８）の側方には外縁が弧状の前面部（４）が形成され、また折線（９）の側方には後面部（５）が形成されている。該前面部（４）と後面部（５）には、上記交点(10),(11) から上記中央折線(12)に対しそれぞれ約４５度の角度で傾斜する傾斜折線(15),(15),(15),(15) を介して折込部(16),(16),(16),(16) が連設されている。また、上記後面部（５）は、上記交点(10),(11) から延びる縦折線(17),(18) により側方後面部(19),(19) と中央後面部(20)に区分され、さらに上記傾斜折線(15),(15) の外方端を結ぶ外方折線(21)を介して折返部(22)が形成されている。
【０００９】
また、上記基板（７）を展開した図２及び図３（Ａ）に示す状態から、図３（Ｂ）に示すように、中央折線(12)で２つ折りして前面部（４）と後面部（５）を折り重ねると共に上記折込部(16),(16）及び折込部(16),(16）をそれぞれ重ね合せ、次に重ね合せた各折込部を傾斜折線(15),(15) に沿って矢印(23)方向に折り込み（同図（Ｃ))、さらに上記外方折線(21)に沿って折返部(22)を矢印(24)方向に折り返して上記重ね合わせた折込部(16)上に折りかぶす（同図（Ｄ))と、図３（Ｅ）及び同図（Ｆ）に示す如き折畳まれた容器本体（２）が得られる。
【００１０】
そして、使用に際して、図３（Ｅ),（Ｆ）の状態から上記前面部（４）と後面部（５）を離れる方向に開口し、底部（３）の中央折線(12)を外側から内方に谷折りすると、上記前面側底部(13)と後面側底部(14)は容器本体の底部を押し広げるような状態で内方に入り込み、図１に示すように前面部（４）と後面部（５）が間隔をあけて対向し、上方に開口部（６）を有し、底部（３）が略だ円形に内方に反り返った容器本体（２）が得られる。
【００１１】
また、図１に示す状態から、上記底部（３）の中央折線(12)を内方から外方に向けて谷折りすると、上記前面側底部(13)と後面側底部(14)は折り重なり、上記前面部（４）と後面部（５）は、図３（Ｅ),（Ｆ）に示すようにほぼ扁平に折り畳まれる。
【００１２】
図４，図５には、略三角形の底部（３）を有する容器本体（２）の実施例が示されている。この容器本体（２）の基板(24)には、図４（Ｂ）に示すように折線(25)と傾斜折線(26),(26) により略三角形状の底部（３）が画成され、該底部（３）は上記傾斜折線(26),(26) の交点(27)を通る中央折線(28)により半底部(29),(29) に区分されている。
【００１３】
上記折線(25)を介して後面部（５）が設けられており、該後面部（５）も上記中央折線(28)により半後面部(30),(30) に区分されている。また、上記傾斜折線(26),(26) を介して前面部（４）が設けられ、該前面部（４）も上記中央折線(28)により半前面部(31),(31) に区分されている。なお、該前面部（４）の外方先端には折線(32),(32) 及び中央折線(28)を介して内方折込部(33),(33) を設けてあるが、該内方折込部を形成しなくてもよい。
【００１４】
上記後面部（５）及び前面部（４）の側方には折線(34),(34) を介して連結部(35),(35),(36),(36) が形成されている。上記折線(34)等を折り、該連結部(35),(36) 及び連結部(35),(36) を重ねて接着剤や適宜の締着片等で連結すると、図４（Ａ）に示すように前面部（４）と後面部（５）が間隔をあけて対向し上方に開口部（６）を有し、底部（３）が略三角形の容器本体（２）が得られる。
【００１５】
図４（Ａ）に示すように、後面部（５）には中央折線(28)が表われているから、該中央折線(28)を容器本体（２）の外側から内方に向けて谷折りすると、図５（Ａ),（Ｂ）に示すように、上記半後面部(30),(30) が折り重なって上記半前面部(31),(31) 間に挟まれた状態にほぼ扁平に折り畳むことができる。そして、上記半後面部(30),(30) と半前面部(31),(31) が離れる方向に上記中央折線(28)を内方から外側に向けて谷折りすれば、図４（Ａ）に示すような容器本体（２）を形成することができる。
【００１６】
図６，図７には略長方形状の底部（３）を有する容器本体（２）の実施例が示されている。この容器本体（２）の基板(37)は、図５（Ｂ）に示すように横折線(38),(39) 及び縦折線(40),(41) により長方形状の底部（３）が画成され、該底部（３）を通る中央折線(42)により前面側底部(43)と後面側底部(44)に区分されている。上記横折線(38),(39) と縦折線(40),(41) の交点(45),(45),(45),(45) からは、上記中央折線(42)に向かってそれぞれ傾斜折線(46),(46),(46),(46) が設けられており、該傾斜折線と中央折線の交点(47),(47) を通って側方折線(48),(48) が形成され、該側方折線(48),(48) を介してその外方に連結部(49),(49),(49),(49) が連設されている。また、上記後面部（５）は縦折線(40),(41) と側方折線(48)により側方後面部(50),(50) と中央後面部(51)に区分されている。
【００１７】
上記中央折線(42)で基板(37)を２つ折りし、上記連結部(49),(49) 及び連結部(49),(49) を重ね合せて接着剤や適宜の締着片等で連結すると、図７（Ａ),（Ｂ）に示すように折り畳んだ状態の容器本体（２）が得られる。
【００１８】
そして、上記前面部（４）と後面部（５）が離れる方向に開口し、底部の上記中央折線(42)を外側から内方に向かって谷折りすると、上記前面側底部(43)と後面側底部(44)は容器本体の底部を押し広げるような状態で内方に入り込み、図６（Ａ）に示すように前面部（４）と後面部（５）が間隔をあけて対向し、上方に開口部（６）を有し、底部（３）が略長方形の容器本体（２）が得られる。
【００１９】
また、図６（Ａ）に示す状態から、上記底部（３）の中央折線(42)を内方から外方に向けて谷折りすると、上記前面側底部(43)と後面側底部(44)は折り重なり、上記前面部（４）と後面部（５）は図７（Ａ),（Ｂ）に示すようにほぼ扁平に折り畳まれる。
【００２０】
図８，図９には比較的大きな略長方形の底部（３）を有する容器本体（２）の実施例が示されている。この容器本体（２）の基板(52)は、図８（Ｂ）に示すように中央折線(53)と横折線(54),(54) 及び縦折線(55),(56) により底部（３）を画成し、中央折線(53)を介して前面部（４）が連設され、上記横折線(54),(54) を介して後面部（５）が形成されている。上記中央折線(53)と縦折線(55),(56) の交点(57),(57) からは外方に向かって傾斜折線(58),(58),(58),(58) が形成され、該傾斜折線(58),(58) と上記横折線(54),(54) の交点(59),(59) を通って外方縦折線(60),(60) が設けられており、該外方縦折線を介してその外側に側面部(61),(61),(61),(61) が形成されている。
【００２１】
また、上記中央折線(53)、縦折線(55),(56) 、傾斜折線(58),(58),(58),(58) 、外方縦折線(60),(60) によりそれぞれ囲まれた区帯には、後面折込部(62),(62) 、後面側底部折込部(63),(63) 、側面側底部折込部(64),(64),(64),(64) 、側面下部(65),(65),(65),(65) 及び側面折込部(66),(66),(66),(66) がそれぞれ形成されている。
【００２２】
上記中央折線(53)で２つ折りし、上記縦折線(55),(56) を谷折りすると共に上記傾斜折線(58),(58),(58),(58) を山折りし、さらに外方縦折線(60),(60) を山折りして側面部(61),(61),(61),(61) の端縁をつき合わせ、テ−プ等のシ−ル片(67)で端縁間をシ−ルすると、図９（Ａ),（Ｂ）に示すように折り畳んだ状態の容器本体（２）が得られる。
【００２３】
そして、上記前面部（４）と後面部（５）が離れる方向に開口し、底部（３）の横折線(54)を山折りすると共に中央折線(53)を外側から内方に向かって谷折りすると、該底部（３）は前面部（４）と後面部（５）を押し広げ、図８（Ａ）に示すように前面部（４）と後面部（５）が間隔をあけて対向し、上方に開口部（６）を有し、底部（３）が略長方形に広がる容器本体（２）が得られる。
【００２４】
また、図８（Ａ）に示す状態から、上記中央折線(53)を外側に向かって山折りし、上記縦折線(55),(56) を外側から内方に向かって谷折りすると、図９（Ａ),（Ｂ）に示すようにほぼ扁平に折り畳むことができる。
【００２５】
上述したように容器本体は、種々に構成することができ、上記各実施例に説明した以外の各種の構成によりワンタッチで組み立てると共に折り畳むことができるようにした容器本体を用いることができ、好ましくは、外面に装飾、印刷等を施し室内に設置したとき違和感を生じないように形成される。また、容器本体の内面に表われる基板に、水玉模様、ストライプ、蠅の絵その他の蠅等の害虫を蝟集させやすい図柄等を施しておくと蠅等を容器本体内に誘引させることができる。
【００２６】
上記容器本体の前面部（４）の内側及び又は後面部（５）の内側には、捕虫用粘着剤層(68)が形成されている。該捕虫用粘着剤層(68)は、上記容器本体を展開した基板の状態で所要部位にパタ−ン塗布したり、捕虫用粘着剤を形成し打抜いたものを両面粘着テ−プで固定したり適宜に形成することができる。なお、所望により、容器を形成後、使用前に壁面に塗布したり、貼り付けるようにしてもよい。
【００２７】
上記捕虫用粘着剤層(68)は、取扱いの際に手等にべたついて付着しないよう容器本体（２）の開口部（６）の端縁から少し、例えば数mm〜１０mm程度離れた位置から下方に設けることが好ましい。なお、実験の結果によれば、蠅等の害虫は容器本体の底部に付着することが少ないので、上記捕虫用粘着剤層(68)は底部（３）には形成しないほうが経済的である。
【００２８】
使用前の状態で上記捕虫用粘着剤層(68)は、剥離紙(69)で覆ってある（図２参照）が、使用に際して剥離紙(69)を剥がしやすくするため、該剥離紙の周縁の一部を粘着剤面よりも大きく形成して、つまみ代(70)を設けるとよい（図２）。
【００２９】
なお、上記捕虫用粘着剤層には、適宜の誘引剤を含有させたり、蛍光剤や殺虫剤を含ませることができる。蛍光剤としては、適宜の蓄光性蛍光物質やりん光等の自発発光体を用いることができる。また、上記容器本体の基板には、上記蛍光剤を含有させたり、蛍光塗料を塗布し、光があたって蛍光を発することにより蠅等の害虫を効率よく集めるようにすることもできる。
【００３０】
上記捕獲容器は、人の目の高さよりも高い適宜部位に設けた棚等載置して使用してもよいが、好ましくは、壁、天井等の構造物に取り付けて使用できるよう支承部(71)が設けられている。該支承部(71)として、図１に示す実施例では、両面テ−プを用いているが、剥がすことを考慮すると、使用する両面テ−プは、一端につまみをつけた引張ることにより剥がすことができる伸長リム−バブル両面接着テ−プ等の両面テ−プが好ましい。なお、後面部に掛穴を形成して適宜のフックを構造物に設けて掛けるようにすることもできる。
【００３１】
上記害虫捕獲容器（１）は、上述のように壁、天井等の構造物の人の目より高い位置に取り付けたり、適宜の支持台（図示略）に載置して独立して使用できるが、図１０に示すように容器内に、誘引剤、フェロモン等の害虫誘引物(72)を収納した害虫捕獲装置として使用することができ、この際上述のように容器本体内に蠅等の害虫を誘引させやすい図柄等を設けておくと、一層効果的に害虫を集めることができる。
【００３２】
また、図１０に示すように上記容器（１）の近傍に害虫を誘引する発光源(73)を設け、該発光源からの直射光や反射光により上記捕虫用粘着剤層(68)の表面を照射して害虫を誘引することができる。この発光源(73)としては、白熱灯や蛍光灯を使用することもできるが、好ましくは支持片(74)上に複数の発光ダイオ−ド（ＬＥＤ）を設けて光源とするとよく、該発光ダイオ−ドを用いることにより、バッテリ−(75)により長時間、例えば単３乾電池４本で約１週間程発光を持続して高輝度を発現させることができ、便利に使用することができる。
【００３３】
なお、上記発光ダイオ−ドの発光色は、害虫の種類に応じて黄色、黄褐色等と誘引色が相違するが、蠅の場合には、青色ＬＥＤが最も良く誘引することができた。
【００３４】
上記のように開口部（６）を広げて壁(76)等に取り付けた上記容器内には、蠅等の害虫が入り込み、上記捕虫用粘着剤層(68)により捕獲される。使用後は、上記前面部（４）と後面部（５）が重なるように折り畳めば、上記粘着剤層(68)により開口部（６）が確実に閉じるから、そのまま廃棄すればよい。
【００３５】
【発明の効果】
本発明は上記のように構成され、基板に容器の底部を画成するよう折線を形成し、該折線を介して前面部、後面部を設け、該折線を折曲げた際上記底部の上方に上記前面部と後面部が間隔をあけて対向すると共に上方に開口する開口部が形成されるよう上記前面部と後面部を折畳可能に連結し、該前面部の内側及び又は後面部の内側に捕虫用粘着剤層を形成したので、使用に際しては、ワンタッチで開口部を開口させることにより、簡単に容器を完成でき、壁等に取り付けて使用することができる。
【００３６】
使用中に蠅等は容器の内側の捕虫用粘着剤層に捕獲されるから、適時に壁等より取り外し、ワンタッチで折り畳めば開口部は閉塞され、汚れた蠅等に触れることなく廃棄処分することができる。また、上記粘着剤層に誘引剤や蛍光剤を含ませたり、基板に蛍光剤を塗布したり、含有させたり、容器内に害虫誘引物を収納したり、容器の近傍に青色発光ダイオ−ド等の発光源を設けて害虫を誘引するようにすれば、一層効果的に害虫を捕獲することができる。
【図面の簡単な説明】
【図１】本発明の一実施例を示し、（Ａ）は前面からみた斜視図、（Ｂ）は後面からみた斜視図。
【図２】図１に示す容器を展開した状態を示し、（Ａ）は正面図、（Ｂ）は基板の一部の断面図。
【図３】（Ａ）〜（Ｆ）は図１に示す容器を組み立てる状態を示す各説明図。
【図４】容器本体の他の実施例を示し、（Ａ）は斜視図、（Ｂ）は展開図。
【図５】図４に示す容器本体の折畳状態を示し、（Ａ）は正面図、（Ｂ）は斜視図。
【図６】容器本体の他の実施例を示し、（Ａ）は斜視図、（Ｂ）は展開図。
【図７】図６に示す容器本体の折畳状態を示し、（Ａ）は正面図、（Ｂ）は斜視図。
【図８】容器本体のさらに他の実施例を示し、（Ａ）は斜視図、（Ｂ）は展開図。
【図９】図８に示す容器本体の折畳状態を示し、（Ａ）は正面図、（Ｂ）は斜視図。
【図１０】使用状態を示す断面図。
【符号の説明】
１…害虫捕獲容器
２…容器本体
３…底部
４…前面部
５…後面部
６…開口部
７，２４，３７，５２…基板
６８…捕虫用粘着剤層
６９…剥離紙
７０…つまみ代
７１…支承部
７２…害虫誘引物
７３…発光源
【図１】
0003899484.tif 000002
【図２】
0003899484.tif 000003
【図３】
0003899484.tif 000004
【図４】
0003899484.tif 000005
【図５】
0003899484.tif 000006
【図６】
0003899484.tif 000007
【図７】
0003899484.tif 000008
【図８】
0003899484.tif 000009
【図９】
0003899484.tif 000010
【図１０】
0003899484.tif 000011